【事件の表示】
　特願２０１８−５４０４０３「情報処理方法および電子デバイス」拒絶査定不服審判事件〔平成２９年　８月１０日国際公開、ＷＯ２０１７／１３２９６３、平成３１年　４月１１日国内公表、特表２０１９−５１０２９９、請求項の数（２１）〕について、次のとおり審決する。
【結　論】
　原査定を取り消す。
　本願の発明は、特許すべきものとする。
【理　由】
第１　手続の経緯
　本願は、２０１６年（平成２８年）２月４日を国際出願日とする出願であって、平成３０年８月３１日に手続補正書が提出され、令和元年７月８日付けで拒絶理由通知がされ、令和元年１０月１６日に意見書及び手続補正書が提出され、令和元年１０月２５日付けで拒絶理由通知（最後）がされ、令和２年１月２３日に意見書が提出され、令和２年１月３０日付けで拒絶査定がされ、これに対し、令和２年６月２日に拒絶査定不服審判の請求がされたものである。
第２　原査定の概要
　原査定（令和２年１月３０日付け拒絶査定）の概要は次のとおりである。
　令和元年１０月１６日付け手続補正書でした補正（以下、「本件補正」という。）は、外国語書面の翻訳文（又は誤訳訂正書による補正後の明細書、特許請求の範囲若しくは図面）に記載した事項の範囲内においてしたものでないから、特許法第１７条の２第３項に規定する要件を満たしていない。
第３　本願発明
　本願請求項１−２１に係る発明（以下、それぞれ「本願発明１」−「本願発明２１」という。）は、令和元年１０月１６日になされた手続補正で補正された特許請求の範囲の請求項１−２１に記載された事項により特定される発明であり、本願発明１−２１は以下のとおりの発明である（下線部は補正箇所を示す。）。
「　　【請求項１】
　情報処理方法であって、
　
指定された値より小さい値に設定される透明度で電子デバイスのデスクトップ上に表示され、タッチジェスチャ操作におけるスライド操作により前記デスクトップ上を移動可能な
前記
におけるタッチ操作
前記タッチ操作によって
チ操
　前記第１の圧力強度値が応答圧力閾値より大きいと決定した場合、
前記タッチ操作による
前記
前記
　前記浮遊ボタンの前記表示位置が前記第１の表示アイコンと重なっている場合、前記第１の表示アイコンに対応する機能を呼び出す段階と
　を備える
　方法。
　　【請求項２】
　前記第１の表示アイコンに対応する機能を呼び出す前記段階は、
　前記第１の表示アイコンがアプリケーションアイコンであるとき、前記アプリケーションアイコンに対応するアプリケーションを有効にする段階、または、
　前記第１の表示アイコンがフォルダのアイコンであり、前記フォルダが複数のアプリケーションを含むと決定したとき、前記複数のアプリケーションに対応するプレビュー情報を生成する段階
　を有する、
　請求項１に記載の方法。
　　【請求項３】
　前記第１の表示アイコンに対応する機能を呼び出す前記段階は、
　前記タッチジェスチャ操作
におけるスライド操作による前記浮遊ボタンの
スライド
による前記浮遊ボタンの
少なくとも１つの
少なくとも１つの
　前記
少なくとも１つの
　を有する、
　請求項１に記載の方法。
　　【請求項４】
　前記
少なくとも１つの
　
前記スライド操作の間の
少なくとも１つの
それぞれの
前記浮遊ボタン上のタッチ操作
それぞれの
　
前記少なくとも１つの第２の表示アイコンのうち、
第２の
る第
少なくとも１つの
　を含む
　請求項３に記載の方法。
　　【請求項５】
　前記第１の表示アイコンに対応する機能を呼び出す前記段階は、
　前記タッチジェスチャ操作
におけるタッチ操作の
　前記押下継続時間値が時間閾値より大きい場合、指定期間内に第３の表示アイコンを押下する操作があるかどうかを検出し、前記指定期間内に前記第３の表示アイコンを押下する操作があった場合、前記第３の表示アイコンと前記第１の表示アイコンとをアイコンセットへと組み合わせる段階と
　を有する、
　請求項１に記載の方法。
　　【請求項６】
　前記アイコンセット内にフォルダの表示アイコンがあるかどうかを検出し、前記アイコンセット内にフォルダの表示アイコンがある場合、前記フォルダに対応する前記表示アイコン以外の前記アイコンセット内の全ての表示アイコンを前記フォルダに追加する段階
　をさらに備える
　請求項３から５の何れか一項に記載の方法。
　　【請求項７】
　前記フォルダに対応する前記表示アイコン以外の前記アイコンセット内の全ての表示アイコンを前記フォルダに追加する前記段階は、
　前記アイコンセット内にただ１つのフォルダの表示アイコンがあるとき、前記フォルダに対応する前記表示アイコン以外の前記アイコンセット内の全ての表示アイコンを前記フォルダに追加する段階、または、
　前記アイコンセット内に少なくとも２つのフォルダの表示アイコンがあるとき、前記少なくとも２つのフォルダの属性情報を取得し、前記属性情報にしたがって前記少なくとも２つのフォルダから１つの目標フォルダを決定し、前記目標フォルダに対応する前記表示アイコン以外の前記アイコンセット内の全ての表示アイコンを前記目標フォルダに追加する段階
　を有する、
　請求項６に記載の方法。
　　【請求項８】
　前記第１の圧力強度値が前記応答圧力閾値より小さいと決定されたとき、前記浮遊ボタンに対応する機能がトリガされる、
　請求項１から５の何れか一項に記載の方法。
　　【請求項９】
　電子デバイスであって、
　
指定された値より小さい値に設定される透明度で前記電子デバイスのデスクトップ上に表示され、タッチジェスチャ操作におけるスライド操作により前記デスクトップ上を移動可能な
におけるタッチ操作
前記タッチ操作によって
チ操
　前記第１の圧力強度値が応答圧力閾値より大きいと決定した場合、
前記タッチ操作による
前記
　を備える
　電子デバイス。
　　【請求項１０】
　前記第１の表示アイコンに対応する機能を前記呼び出すことは、
　前記第１の表示アイコンがアプリケーションアイコンであるとき、前記アプリケーションアイコンに対応するアプリケーションを有効にすること、または、前記第１の表示アイコンがフォルダのアイコンであり、前記フォルダが複数のアプリケーションを含むと決定したとき、前記複数のアプリケーションに対応するプレビュー情報を生成すること
　を有する、
　請求項
９
　　【請求項１１】
　前記第１の表示アイコンに対応する機能を前記呼び出すことは、
　前記タッチジェスチャ操作
におけるスライド操作による前記浮遊ボタンの
スライド
による前記浮遊ボタンの
少なくとも１つの
少なくとも１つの
少なくとも１つの
　を有する、
　請求項
９
　　【請求項１２】
　前記
少なくとも１つの
　
前記スライド操作の間の
少なくとも１つの
それぞれの
前記浮遊ボタン上のタッチ操作
それぞれの
前記少なくとも１つの第２の表示アイコンのうち、
第２
る第
少なくとも１つの
　を含む、
　請求項
１１
　　【請求項１３】
　前記第１の表示アイコンに対応する機能を前記呼び出すことは、
　前記タッチジェスチャ操作
におけるタッチ操作の
　を有する、
　請求項
９
　　【請求項１４】
　前記プロセッサはさらに、前記アイコンセット内にフォルダの表示アイコンがあるかどうかを検出し、前記アイコンセット内にフォルダの表示アイコンがある場合、前記フォルダに対応する前記表示アイコン以外の前記アイコンセット内の全ての表示アイコンを前記フォルダに追加するよう構成される、
　請求項
１１
１３
　　【請求項１５】
　前記フォルダに対応する前記表示アイコン以外の前記アイコンセット内の全ての表示アイコンを前記フォルダに前記追加することは、前記アイコンセット内にただ１つのフォルダの表示アイコンがあるとき、前記フォルダに対応する前記表示アイコン以外の前記アイコンセット内の全ての表示アイコンを前記フォルダに追加すること、または、前記アイコンセット内に少なくとも２つのフォルダの表示アイコンがあるとき、前記少なくとも２つのフォルダの属性情報を取得し、前記属性情報にしたがって前記少なくとも２つのフォルダから１つの目標フォルダを決定し、前記目標フォルダに対応する前記表示アイコン以外の前記アイコンセット内の全ての表示アイコンを前記目標フォルダに追加することを有する、
　請求項
１４
　　【請求項１６】
　前記プロセッサはさらに、前記第１の圧力強度値が前記応答圧力閾値より小さいと決定したとき、前記浮遊ボタンに対応する機能をトリガするよう構成される、
　請求項
９
１３
　　【請求項１７】
　電子デバイスであって、
　
指定された値より小さい値に設定される透明度で
　
タッチジェスチャ操作におけるスライド操作により前記表示ユニットのデスクトップ上を移動可能な
前記タッチジェスチャ操作におけるタッチ
前記タッチ操作によって前記浮遊ボタンに作用する
　前記第１の圧力強度値が応答圧力閾値より大きいと決定した場合、
前記タッチ操作による
前記
　を備える
　電子デバイス。
　　【請求項１８】
　前記第１の表示アイコンに対応する機能を前記呼び出すことは、
　前記第１の表示アイコンがアプリケーションアイコンであるとき、前記アプリケーションアイコンに対応するアプリケーションを有効にすること、または、前記第１の表示アイコンがフォルダのアイコンであり、前記フォルダが複数のアプリケーションを含むと決定したとき、前記複数のアプリケーションに対応するプレビュー情報を生成すること
　を有する、
　請求項
１７
　　【請求項１９】
　前記第１の表示アイコンに対応する機能を前記呼び出すことは、
　前記タッチジェスチャ操作
におけるスライド操作による前記浮遊ボタンの
スライド
による前記浮遊ボタンの
少なくとも１つの
少なくとも１つの
少なくとも１つの
　を有する、
　請求項
１７
　　【請求項２０】
　前記
少なくとも１つの
　
前記スライド操作の間の
少なくとも１つの
それぞれの
前記浮遊ボタン上のタッチ操作
それぞれの
　
前記少なくとも１つの第２の表示アイコンのうち、
第２
る第
少なくとも１つの
　を含む、
　請求項
１９
　　【請求項２１】
　前記第１の表示アイコンに対応する機能を前記呼び出すことは、
　前記タッチジェスチャ操作
におけるタッチ操作の
　を有する、
　請求項
１９
第４　原査定について
　原査定の拒絶の理由は、上記第２のとおり、本件補正により請求項１−２１に追加された「スライド操作によりデスクトップ上を移動可能な浮遊ボタン」という事項（以下、「補正事項」という。）は、外国語書面の翻訳文（又は誤訳訂正書による補正後の明細書、特許請求の範囲若しくは図面）に記載も示唆もされていないから、本件補正は特許法第１７条の２第３項に規定する要件を満たしていないというものである。
　上記補正事項が、国際出願日における国際特許出願の明細書若しくは図面（図面の中の説明に限る。）の翻訳文、国際出願日における国際特許出願の請求の範囲の翻訳文又は国際出願日における国際特許出願の図面（図面の中の説明を除く。）（以下、「当初明細書等」という。）に記載した事項の範囲内のものであるか否かについて、以下検討する。
１　当初明細書等に記載された事項
　当初明細書等には、図面とともに次の事項が記載されている（下線は当審において付与した。以下、同様。）。
ア　「【０００３】
　操作を容易にするために、浮遊ボタンは、通常、画面表示層の最上部に表示される。しかしながら、浮遊ボタンは、人々に便利さと共にある種の不便さももたらす。
浮遊ボタンがモバイル電子デバイスの表示画面に現れたとき、表示画面上の他のコンテンツが遮られ、遮られた部分（または浮遊ボタンと重なった部分）をユーザが操作するには不便である。遮られた部分に対してユーザが操作を行う必要があるとき、ユーザは、まず浮遊ボタンを移動させ、次に操作を行わなければならない。
イ　「【００３５】
　段階１０１．
浮遊ボタン上のタッチジェスチャ操作
ウ　「【００４５】
　２．
浮遊ボタンを使用することによってアイコンを分類する。
【００４６】
　［方式１］
【００４７】
　（ａ１）
ジェスチャ操作のスライド軌跡
【００４８】
　本実施形態において、予め設定された軌跡は、円弧（例えば、図２に示される円弧）などの、操作が容易な、および／またはユーザの使用習慣に合った任意のスライド軌跡であってよい。」
エ　「【００５８】
　［方式２］
【００５９】
　（ｂ１）
ジェスチャ操作の押下継続時間値を検出する。
【００６０】
　（ｂ２）継続時間値が時間閾値より大きい場合、指定期間内に第３の表示アイコンを押下する操作があるかどうかを検出し、指定期間内に第３の表示アイコンを押下する操作があった場合、第３の表示アイコンと第１の表示アイコンとをアイコンセットへと組み合わせる。
【００６１】
　本例では、まず、ユーザがアイコン分類機能を有効にするかどうかを継続時間値にしたがって決定する。第１のアイコンが選択された後、アイコンを押下する継続時間が時間閾値を超えた場合、アイコン分類機能が有効にされると決定されてよい。次に、ユーザは、当該機能の下で、分類されるべきアイコンを選択してよい。当該機能の下でアイコンを選択する方式は、タップまたはダブルタップなどの、電子デバイスによって認識され得る操作であってよい。図４に示されるように、図４のａにおいて、
コントロール７のアイコンへのユーザからの押下の継続時間が時間閾値を超えたとき、それに対応して分類機能が有効にされる。次に、ユーザが次のアイコン（例えば、アイコン５の位置）に移動してタッチ操作を行い
オ　「【図２】
」
カ　「【図４】
」
２　参考文献に記載された事項
　本願の出願前に電気通信回線を通じて公衆に利用可能となった下記参考文献の項目「12. フローティングボタンを有効にする」には、図面とともに次の事項が記載されている。
「スイッチをオンにすると
画面上にフローティングボタンと呼ばれる丸いボタンが常駐する
「機能をオンにすると画面上に丸いボタンが常駐。画面の端に張り付く仕様となっており、
場所も自由に動かせる
「
」
＜参考文献＞
まきはら　とよかず、「Huawei Mate Sを購入したら設定したい12のこと」、［online］、２０１５年１２月１７日、［令和３年６月１８日検索］、インターネット＜URL:http://mobareco.jp/a58279/＞
３　判断
　当初明細書等には、「タッチジェスチャ操作」が「浮遊ボタン」に作用すること（上記１のイ）、及び「ジェスチャ操作」から「スライド軌跡」が得られること（上記１のウ）が記載されており、図２には、スライド操作を行うユーザの指先の左側に短い直線が示されているから（上記１のオ）、浮遊ボタンに対してスライド操作が行われることは明らかである。
　また、上記参考文献には、「画面上にフローティングボタンと呼ばれる丸いボタンが常駐」し、「場所も自由に動かせる」ことが記載されているから、画面上で場所を自由に動かせる、フローティングボタンと呼ばれる丸いボタンなどの画面上に浮かんで表示される操作ボタンは、出願時の技術常識であったといえる。
　そして、当初明細書等の図４には、ユーザが押下するアイコン７と重なる位置に二重丸の図形が表示され、ユーザがアイコン５の位置に移動してタッチ操作を行うことにともなって当該二重丸の図形がアイコン５の位置に移動することが記載されているから（上記１のエ及びカ）、上記出願時の技術常識を踏まえれば、当業者であれば、この二重丸の図形が「浮遊ボタン」であると理解することができ、当初明細書等には、ユーザの操作によりデスクトップ上を移動可能な浮遊ボタンが記載されているといえる。
　そうすると、「スライド操作によりデスクトップ上を移動可能な浮遊ボタン」という事項は、当初明細書等の記載から自明な事項であるといえる。
　よって、かかる補正事項を含む本件補正は、当初明細書等のすべての記載を総合することにより導かれる技術的事項との関係において、新たな技術的事項を導入するものと認めることはできず、本件補正は、当初明細書等に記載した事項の範囲内においてしたものであるから、特許法第１７条の２第３項に規定する要件を満たしている。
　したがって、原査定を維持することはできない。
第５　令和元年７月８日付けの拒絶理由で引用された文献に基づく進歩性の判断について
　令和元年７月８日付けの拒絶理由通知において、国際公開第２０１３／０６１６０５号（以下、「引用文献１」という。）、特開２０１０−０５５６２７号公報（以下、「引用文献２」という。）、及び米国特許出願公開第２０１４／０３３１１８７号明細書（以下、「引用文献３」という。）に基づく進歩性の判断が示されているため、以下、念のため、引用文献１−３に記載された発明に基づいて、本願発明１−２１が、その発明の属する技術の分野における通常の知識を有する者（以下、「当業者」という。）が容易に発明をすることができたものであるか否かについて検討する。
１　引用文献、引用発明等
（１）　引用文献１について
　引用文献１には、図面とともに次の事項が記載されている。
ア　「[0024]　図１に示すように、
触感呈示装置１は、表示／触感制御部１０と、アプリケーション実行部２０と、表示部３０と、タッチセンサ４０と、触感呈示部５０と、押圧検出部６０と、記憶部８０と、を備えている。
[0025]　記憶部８０は、例えばＮＡＮＤ型フラッシュメモリやＲＡＭ等によって構成することができる。記憶部８０のメモリ領域には、各種のアプリケーションソフトウェア（以下、単に「アプリケーション」と記す）を記憶する領域のほか、オブジェクトおよび画像ファイルなどの表示用リソースを記憶する領域などが含まれる。この記憶部８０から供給される表示用リソースのデータには、後述するように、触感制御情報が付加されている。
[0026]　アプリケーション実行部２０は、ＣＰＵ等のプロセッサによって構成することができ、各種のアプリケーションのうち指定されたものを記憶部８０から読み込んで、当該アプリケーションに基づく処理を実行するとともに、各機能部を当該アプリケーションに基づいて制御する。
[0027]　
表示部３０は、背景画像などを表示したり、ボタンおよびキー等
のようなオブジェクトを画像表示したりする。
[0028]　
タッチセンサ４０は、
表示部３０に表示したオブジェクトに対する操作者の指等
による接触（または接触の解除）を、対応する位置のタッチ面において検出する。
イ　「[0030]　
押圧検出部６０は、タッチセンサ４０のタッチ面に対してユーザが操作を行う際の押圧を検出する
表示／触感制御部１０は、タッチセンサ４０に対する押圧に基づくデータを押圧検出部６０から取得する。
押圧に基づくデータは、
押圧に係る荷重の大きさ
でもよい。
ウ　「[0035]　
表示／触感制御部１０は、
表示部３０に背景画像やオブジェクトの画像などを表示したり、あるいは当該画像の表示を変更したりする等、表示部３０における表示に係る制御を行う。
表示／触感制御部１０は、表示部３０が画像を複数のレイヤで表示するように制御する
[0036]　ここで、レイヤ表示とは、表示部に画像を表示する際に、複数の仮想的なレイヤを重畳させたものとして画像を合成して表示することである。例えば透過率が０％の（つまり透過しない）画像がレイヤによって重畳表示される場合、表示部においては画像が表示されたレイヤのうち最上位のレイヤの画像のみが表示され、下位のレイヤの画像のうち重畳された箇所は表示されない。一方、例えば透過率が０％でない（つまり透過する）画像がレイヤによって重畳表示される場合、表示部において画像が表示されたレイヤのうち最上位のレイヤの画像を透過して下位のレイヤの画像も表示される。」
エ　「[0045]　すなわち、
表示／触感制御部１０は、タッチセンサ４０がオブジェクト等の画像の画素に対応する位置における接触を検出すると、当該画素に割り当てられた所定の処理を行うように制御する。
オ　「[0049]　さらに、本実施の形態による触感呈示装置１は、操作者がタッチセンサ４０に対する接触操作を行う際に押圧検出部６０が検出する押圧に基づくデータに応じて、異なる処理を区別して実行するのが好適である。すなわち、例えば、
触感呈示装置１は、同一のオブジェクトに対応する位置において、操作者がタッチセンサ４０に第１段階の力で押圧した場合と、第１段階よりも強い第２段階の力で押圧した場合とで、異なる処理を実行させることができる。
カ　「[0053]　さらに、本実施の形態による触感呈示装置１は、操作者がタッチセンサ４０を押圧する際に押圧検出部６０が検出する押圧に基づくデータに応じて、操作者がどのレイヤに対する接触を行っているのかを区別することもできる。すなわち、
表示／触感制御部１０は、表示部３０が画像を複数のレイヤで表示する場合、押圧検出部６０が検出する押圧に基づくデータに応じて、タッチセンサ３０に対する接触が前記複数のレイヤのうち何れのレイヤの画素に対応する位置における接触であるかを決定することができる。
[0054]　この場合、
表示／触感制御部１０は、所定の処理を開始するとともに触感呈示部５０が触感を呈示するための基準を、各画素が存在するレイヤごとに設定する。この場合、
押圧に基づくデータが満たすべき基準を複数段階設定し、押圧検出部６０が検出する押圧に基づくデータが満たした基準の段階が大きくなるにつれて、より下位のレイヤに対する接触に対応するような設定とすることができる。
表示／触感制御部１０は、表示部３０において触感が設定されたレイヤに表示された画像の画素に対応する位置における接触をタッチセンサ４０が検出している際に、押圧検出部６０が検出する押圧に基づくデータが、当該レイヤに表示された画素に設定された基準を満たすと、当該画素に割り当てられた処理を行うように制御する。
キ　「[0075]　図４において、（Ａ）に示すレイヤは最下位のレイヤを現し、以下単に「下位レイヤ」と記す。また、（Ｂ）に示すレイヤは上述した
下位レイヤの直近上位に重なるレイヤを
「中位レイヤ」と記す
[0076]　図４（Ａ）に示すように、
下位レイヤにおいては、
音楽プレーヤのアプリケーションの実行により、背景色が画像として表示されたり、またはアプリケーションに基づく処理を行うためのキー等のオブジェクトが画像として表示される。
中位レイヤにおいては、
電子メール作成アプリケーションを実行することにより、文字編集画面が表示される。
ク　「[0080]　なお、図４（Ｃ）の上位レイヤにおいては、ポップアップ表示が行われた様子を図示してあるが、通常の動作時でポップアップ表示が行われていない場合には、図５（Ｃ）に示すように、当該レイヤにおいて画像は何も表示されない。また、本例においては、図４に示したような各レイヤに表示されるオブジェクトがそれぞれ透過表示をするものとする。すなわち、複数のレイヤのオブジェクトが位置的に重なって表示されたとしても、
各レイヤに表示されたオブジェクトがそれぞれ透過して表示されるようにする。このような透過表示は、
透過率などを設定することにより行うことができる。
ケ　「[0082]　図５は、図４に示したレイヤ表示により、
触感呈示装置１において音楽プレーヤのアプリケーションを起動しつつ電子メール作成のアプリケーションも起動している際
[0083]　図５（Ｃ）に示すように、ポップアップ表示を行っていない場合の上位レイヤにおいては、図３（Ｃ）で説明した（１）触感活性化フラグがＯＦＦであるため、当該レイヤに対する接触は検出されず、触感も呈示されない。また、（２）下位レイヤ制御フラグはＯＮであるため、当該上位レイヤにおいては接触を検出しないが、当該上位レイヤよりも下位のレイヤに対する接触は検出する。なお、当該上位レイヤにおいては接触を検出しないため（６）触感呈示の段階の数はゼロに設定されている。
[0084]　次に、図５（Ｂ）に示すように、上位レイヤにポップアップ表示を行っていない場合の
中位レイヤにおいて、
電子メール作成アプリケーションによるオブジェクトが表示されている箇所に対する接触は検出され、当該接触が検出されると、所定の処理が行われる
当該中位レイヤにおいて接触を検出しつつ、さらに当該中位レイヤよりも下位のレイヤに対する接触も検出する。
[0085]　さらに、図５（Ａ）に示すように、上位レイヤにポップアップ表示を行っていない場合の
下位レイヤにおいては、
キー等のオブジェクトが表示されている箇所に対する接触は検出され、当該検出に応じて対応する触感が呈示される。
中位レイヤにおいて１段階目の接触または押圧を検出する
下位レイヤにおいては２段階目
の接触または押圧を検出する
[0086]　したがって、
操作者は、１段階目の接触または押圧を行うことにより、中位レイヤにおける電子メール作成アプリケーションに対する操作を行うことができる。さらに、操作者は、２段階目
の接触または押圧を行うことにより、下位レイヤにおける音楽プレーヤアプリケーションに対する操作を行うことができる。
例えば、２段階目の接触または押圧を検出することにより、音楽プレーヤにおいて次の曲を再生することができ
コ　「【図５】
」
　以上ア〜コより、特に下線部に着目すると、引用文献１には、次の発明（以下、「引用発明」という。）が記載されていると認められる。
「触感呈示装置１は、表示／触感制御部１０と、アプリケーション実行部２０と、表示部３０と、タッチセンサ４０と、触感呈示部５０と、押圧検出部６０と、記憶部８０と、を備えており、
　表示部３０は、背景画像などを表示したり、ボタンおよびキー等のようなオブジェクトを画像表示したりし、
　タッチセンサ４０は、表示部３０に表示したオブジェクトに対する操作者の指等による接触（または接触の解除）を、対応する位置のタッチ面において検出し、
　押圧検出部６０は、タッチセンサ４０のタッチ面に対してユーザが操作を行う際の押圧を検出し、
　表示／触感制御部１０は、タッチセンサ４０に対する押圧に基づくデータを押圧検出部６０から取得し、押圧に基づくデータは、押圧に係る荷重の大きさでもよく、
　表示／触感制御部１０は、表示部３０に背景画像やオブジェクトの画像などを表示したり、あるいは当該画像の表示を変更したりする等、表示部３０における表示に係る制御を行い、
　表示／触感制御部１０は、表示部３０が画像を複数のレイヤで表示するように制御し、
　表示／触感制御部１０は、タッチセンサ４０がオブジェクト等の画像の画素に対応する位置における接触を検出すると、当該画素に割り当てられた所定の処理を行うように制御し、
　触感呈示装置１は、同一のオブジェクトに対応する位置において、操作者がタッチセンサ４０に第１段階の力で押圧した場合と、第１段階よりも強い第２段階の力で押圧した場合とで、異なる処理を実行させることができ、
　表示／触感制御部１０は、表示部３０が画像を複数のレイヤで表示する場合、押圧検出部６０が検出する押圧に基づくデータに応じて、タッチセンサ３０に対する接触が前記複数のレイヤのうち何れのレイヤの画素に対応する位置における接触であるかを決定することができ、
　表示／触感制御部１０は、所定の処理を開始するとともに触感呈示部５０が触感を呈示するための基準を、各画素が存在するレイヤごとに設定し、この場合、押圧に基づくデータが満たすべき基準を複数段階設定し、押圧検出部６０が検出する押圧に基づくデータが満たした基準の段階が大きくなるにつれて、より下位のレイヤに対する接触に対応するような設定とすることができ、
　表示／触感制御部１０は、表示部３０において触感が設定されたレイヤに表示された画像の画素に対応する位置における接触をタッチセンサ４０が検出している際に、押圧検出部６０が検出する押圧に基づくデータが、当該レイヤに表示された画素に設定された基準を満たすと、当該画素に割り当てられた処理を行うように制御し、
　下位レイヤの直近上位に重なるレイヤを「中位レイヤ」と記し、
　下位レイヤにおいては、音楽プレーヤのアプリケーションの実行により、背景色が画像として表示されたり、またはアプリケーションに基づく処理を行うためのキー等のオブジェクトが画像として表示され、
　各レイヤに表示されたオブジェクトがそれぞれ透過して表示されるようにし、このような透過表示は、透過率などを設定することにより行うことができ、
　触感呈示装置１において音楽プレーヤのアプリケーションを起動しつつ電子メール作成のアプリケーションも起動している際に、
　中位レイヤにおいては、電子メール作成アプリケーションを実行することにより、文字編集画面が表示され、
　中位レイヤにおいて、電子メール作成アプリケーションによるオブジェクトが表示されている箇所に対する接触は検出され、当該接触が検出されると、所定の処理が行われ、
　当該中位レイヤにおいて接触を検出しつつ、さらに当該中位レイヤよりも下位のレイヤに対する接触も検出し、
　下位レイヤにおいては、キー等のオブジェクトが表示されている箇所に対する接触は検出され、当該検出に応じて対応する触感が呈示され、
　中位レイヤにおいて１段階目の接触または押圧を検出し、下位レイヤにおいては２段階目の接触または押圧を検出し、
　操作者は、１段階目の接触または押圧を行うことにより、中位レイヤにおける電子メール作成アプリケーションに対する操作を行うことができ、さらに、操作者は、２段階目の接触または押圧を行うことにより、下位レイヤにおける音楽プレーヤアプリケーションに対する操作を行うことができ、例えば、２段階目の接触または押圧を検出することにより、音楽プレーヤにおいて次の曲を再生することができる、
　触感呈示装置１。」
（２）　引用文献２について
　引用文献２には、図面とともに次の事項が記載されている。
「【０５９９】
　このような
３次元空間を表現することが可能な表示装置３
前記表示装置３上に、
ポインタ４０１や、フォルダアイコン４０２ａから４０２ｇ，ウィンドウ４０３ａから４０３ｃ等のオブジェクトを３次元的に配置（表示）した３次元デスクトップを表示する
【０６００】
　このとき、前記手前の表示面３０１Ａと奥の表示面３０１Ｂの間の空間を３次元デスクトップ空間とし、たとえば、図８２および図８３に示したように、前記手前の表示面３０１Ａの奥行き位置がｚ＝０、表示面３０１Ａ，３０１ＢがＸＹ平面と平行であり、かつ、手前の表示面３０１Ａから奥の表示面３０１Ｂに向かう方向をＺ軸の正の方向とする３次元座標系ＸＹＺをとると、前記ポインタ４０１が指し示している位置は座標（ｘｐ，ｙｐ，ｚｐ）で特定される。そのため、前記
入力装置２を用いて、
前記ポインタ４０１を前記３次元デスクトップ空間内の任意の一点に移動させることができ、前記３次元デスクトップ空間内に配置されたフォルダアイコン４０２ａから４０２ｇ，ウィンドウ４０３ａから４０３ｃ等のオブジェクトをポインティングできる
「【０６０６】
　本実施例４−１では、たとえば、図８２および図８３に示したような
３次元デスクトップ空間内に表示されたポインタ４０１を、
３次元的に移動させ、前記３次元デスクトップ空間内の任意の一点をポインティングするときに、
操作者
から見て、前記ポインタの奥行き位置よりも手前に配置されたオブジェクトを透明化する
「【図８２】
」
　以上より、特に下線部に着目すると、引用文献２には、次の技術事項が記載されていると認められる。
「３次元空間を表現することが可能な表示装置３上に、ポインタ４０１や、フォルダアイコン４０２ａから４０２ｇ，ウィンドウ４０３ａから４０３ｃ等のオブジェクトを３次元的に配置（表示）した３次元デスクトップを表示し、
　入力装置２を用いて、前記ポインタ４０１を前記３次元デスクトップ空間内の任意の一点に移動させることができ、前記３次元デスクトップ空間内に配置されたフォルダアイコン４０２ａから４０２ｇ，ウィンドウ４０３ａから４０３ｃ等のオブジェクトをポインティングでき、
　３次元デスクトップ空間内に表示されたポインタ４０１を、３次元的に移動させ、前記３次元デスクトップ空間内の任意の一点をポインティングするときに、操作者から見て、前記ポインタの奥行き位置よりも手前に配置されたオブジェクトを透明化すること。」
（３）　引用文献３について
　引用文献３には、次の事項が記載されている。
「[0045] FIG. 3a illustrates a screen shot of an example computing device having a group mode configured in accordance with one or more embodiments of the present invention. As previously explained, the group mode may be configured to run on non-touch sensitive devices, where the user input may be provided using a physical keyboard and a mouse, for example. For ease of description, example group mode functions are discussed herein in the context of a touch sensitive computing device. Continuing with FIG. 3a, 
the touch sensitive computing device includes a frame that houses a touch sensitive surface
any touch sensitive surface for receiving user input
may be used for the group mode user input
such as swipe gestures
and press-and-hold gestures.
（当審訳）
「[0045] 図３ａは、本発明の１つまたは複数の実施形態に従って構成されたグループ化モードを有する例示的なコンピューティングデバイスのスクリーンショットを示している。先に説明したように、グループ化モードは、非タッチセンシティブデバイスで実行するように構成でき、ユーザ入力は、たとえば、物理的なキーボードとマウスを使用して提供できる。説明を容易にするために、グループ化モード機能の例を、ここではタッチセンシティブコンピューティングデバイスのコンテキストで説明する。図３ａに示されるように、
タッチセンシティブコンピューティングデバイス
タッチセンシティブ表面
を収容するフレームを含む。
ユーザ入力を受けるための任意のタッチセンシティブ表面
は、スワイプジェスチャ、
およびプレスアンドホールドジェスチャなどの
グループ化モードユーザ入力のために使用することができる。
「[0053] FIGS. 3e-e′ illustrate an example user input used to select objects and group the selected objects into a bundle, in accordance with an embodiment of the present invention. As previously described, the user may preselect objects desired to be grouped using the group mode (e.g., as was the case with FIGS. 3a-3d''') or the objects may be selected and grouped using the same user input. In the example select plus group function in FIGS. 3e-e′, 
a continuous swipe gesture is being used
After the swipe gesture was released
the selected objects
were grouped into a bundle
（当審訳）
「[0053] 図３ｅ−ｅ′は、本発明の実施形態による、オブジェクトを選択し、選択されたオブジェクトをバンドルにグループ化するために使用される例示的なユーザ入力を示す。前述のように、ユーザは、グループ化モード（例えば、図３ａ−３ｄ'''の場合のように）を使用してグループ化することが望まれるオブジェクトを事前に選択することができ、また、オブジェクトは、同じユーザ入力を使用して選択およびグループ化することができる。図３ｅ−ｅ′の選択プラスグループ化機能の例では、スワイプジェスチャがリリースされたときにグループ化するオブジェクトを選択するために、図３ｅにおいて
連続スワイプジェスチャが使用され
スワイプジェスチャがリリースされた後
選択されたオブジェクト
は、
バンドルにグループ化され
「[0055] FIGS. 3g-g′ illustrate an example user input used to group preselected objects into a bundle, in accordance with an embodiment of the present invention. FIGS. 3g-g′ show the touch sensitive computing device of FIG. 3a in a vertical or portrait orientation. As shown in FIG. 3g, 
a press-and-hold gesture (or long press gesture) is being made by the user's hand
to group the preselected objects into a bundle
（当審訳）
「[0055] 図３ｇ−ｇ′は、本発明の実施形態による、事前に選択されたオブジェクトをバンドルにグループ化するために使用される例示的なユーザ入力を示す。図３ｇ−ｇ′は、垂直または縦向きの、図３ａのタッチセンシティブコンピューティングデバイスを示す。図３ｇでは、
プレスアンドホールドジェスチャ（または長押しジェスチャ）が、ユーザの手
によって行われ、事前に選択されたオブジェクトをバンドルにグループ化し
　以上より、特に下線部に着目すると、引用文献３には、次の技術事項が記載されていると認められる。
「タッチセンシティブ表面を収容するフレームを含むタッチセンシティブコンピューティングデバイスにおいて、
　ユーザ入力を受けるための任意のタッチセンシティブ表面は、スワイプジェスチャ、およびプレスアンドホールドジェスチャなどのグループ化モードユーザ入力のために使用することができ、
　連続スワイプジェスチャが使用され、スワイプジェスチャがリリースされた後、選択されたオブジェクトは、バンドルにグループ化され、
　プレスアンドホールドジェスチャ（または長押しジェスチャ）が、ユーザの手によって行われ、事前に選択されたオブジェクトをバンドルにグループ化すること。」
２　対比・判断
（１）　本願発明１について
ア　対比
　本願発明１と引用発明とを対比すると、次のことがいえる。
（ア）　引用発明の「触感呈示装置１」は、本願発明１の「電子デバイス」に相当する。また、引用発明の当該「触感呈示装置１」が実施する一連の「方法」は、後述する相違点を除き、本願発明１における「情報処理方法」に相当するといえる。
（イ）　引用発明は、「表示／触感制御部１０は、表示部３０が画像を複数のレイヤで表示するように制御し」、「中位レイヤにおいて、電子メール作成アプリケーションによるオブジェクトが表示され」、「各レイヤに表示されたオブジェクトがそれぞれ透過して表示されるようにし、このような透過表示は、透過率などを設定することにより行うことができ」との構成を備えているから、引用発明の「電子メール作成アプリケーションによるオブジェクト」は、表示部の画面、すなわち「デスクトップ」上に、透過率の値が設定されることにより透過して表示されるものであるといえる。また、本願発明１の「浮遊ボタン」は、操作対象となる要素であるから「オブジェクト」といい得るものである。
　よって、引用発明の「電子メール作成アプリケーションによるオブジェクト」と、本願発明１の「
指定された値より小さい
タッチジェスチャ操作におけるスライド操作により前記デスクトップ上を移動可能な浮遊ボタン
（ウ）　引用発明の「電子メール作成アプリケーションによるオブジェクトが表示されている箇所に対する接触」を「検出」することと、本願発明１の「
浮遊ボタン
前記タッチジェスチャ操作における
　そして、引用発明は、「表示／触感制御部１０は、タッチセンサ４０に対する押圧に基づくデータを押圧検出部６０から取得し、押圧に基づくデータは、押圧に係る荷重の大きさでもよく」、「表示／触感制御部１０は、表示部３０において触感が設定されたレイヤに表示された画像の画素に対応する位置における接触をタッチセンサ４０が検出している際に、押圧検出部６０が検出する押圧に基づくデータが、当該レイヤに表示された画素に設定された基準を満たすと、当該画素に割り当てられた処理を行うように制御し」、「中位レイヤにおいて１段階目の接触または押圧を検出し」との構成を備えているから、「中位レイヤ」において「電子メール作成アプリケーションによるオブジェクトが表示されている箇所に対する接触」を「検出」する際に、「押圧に係る荷重の大きさ」を示す「押圧に基づくデータ」が取得されるものと理解できる。
　よって、引用発明の、「電子メール作成アプリケーションによるオブジェクトが表示されている箇所に対する接触」を「検出」する際に取得される「押圧に係る荷重の大きさ」を示す「押圧に基づくデータ」と、本願発明１の「前記タッチ操作によって前記
浮遊ボタン
浮遊ボタン
（エ）　引用発明の「下位レイヤ」において「音楽プレーヤのアプリケーションの実行により」表示される「キー等のオブジェクト」は、本願発明１の「前記電子デバイスの前記デスクトップに表示された第１の表示アイコン」に相当する。
　そして、引用発明は、「表示／触感制御部１０は、所定の処理を開始するとともに触感呈示部５０が触感を呈示するための基準を、各画素が存在するレイヤごとに設定し、この場合、押圧に基づくデータが満たすべき基準を複数段階設定し、押圧検出部６０が検出する押圧に基づくデータが満たした基準の段階が大きくなるにつれて、より下位のレイヤに対する接触に対応するような設定とすることができ」、「中位レイヤにおいて１段階目の接触または押圧を検出し、下位レイヤにおいては２段階目の接触または押圧を検出し」、「操作者は、１段階目の接触または押圧を行うことにより、中位レイヤにおける電子メール作成アプリケーションに対する操作を行うことができ、さらに、操作者は、２段階目の接触または押圧を行うことにより、下位レイヤにおける音楽プレーヤアプリケーションに対する操作を行うことができ、例えば、２段階目の接触または押圧を検出することにより、音楽プレーヤにおいて次の曲を再生することができる」との構成を備えているから、引用発明は、「押圧に基づくデータ」が、「２段階目」の「押圧」に対応する「基準」を満たす場合に、「下位レイヤにおける音楽プレーヤアプリケーション」の「オブジェクト」に対応する「次の曲を再生する」機能を呼び出すものと理解できる。
　よって、引用発明の「２段階目」の「押圧」に対応する「基準」は、本願発明１の「応答圧力閾値」に相当し、引用発明の「押圧に基づくデータ」が「２段階目」の「押圧」に対応する「基準」を満たす場合は、本願発明１の「前記第１の圧力強度値が応答圧力閾値より大きいと決定した場合」に相当する。また、引用発明の「２段階目の接触または押圧を検出することにより、音楽プレーヤにおいて次の曲を再生すること」は、本願発明１の「前記第１の表示アイコンに対応する機能を呼び出す段階」に相当する。
　以上のことから、引用発明の「２段階目の接触または押圧を検出することにより、音楽プレーヤにおいて次の曲を再生すること」は、本願発明１が「前記第１の圧力強度値が応答圧力閾値より大きいと決定した場合、
前記タッチ操作による前記浮遊ボタンの表示位置が
第１の表示アイコンと重なっているかどうかを検出する段階と、前記浮遊ボタンの前記表示位置が前記第１の表示アイコンと重なっている場合、前記
イ　一致点・相違点
　以上から、本願発明１と引用発明とは、以下の点において一致ないし相違する。
［一致点］
「　情報処理方法であって、
　所定の値に設定される透明度で電子デバイスのデスクトップ上に表示されるオブジェクト上のタッチ操作を取得し、前記タッチ操作によって前記オブジェクトに作用する第１の圧力強度値を前記タッチ操作にしたがって決定する段階と、
　前記第１の圧力強度値が応答圧力閾値より大きいと決定した場合、前記電子デバイスの前記デスクトップに表示された第１の表示アイコンに対応する機能を呼び出す段階と
　を備える
　方法。」
［相違点］
＜相違点１＞
　本願発明１は、「透明度」が「指定された値より小さい値」に設定されるのに対し、引用発明では、「透明度」が指定された値より小さい値であることは特定されていない点。
＜相違点２＞
　本願発明１では、電子デバイスのデスクトップ上に表示されるオブジェクトは「タッチジェスチャ操作におけるスライド操作により前記デスクトップ上を移動可能な浮遊ボタン」であり、取得されるタッチ操作は「浮遊ボタン上の前記タッチジェスチャ操作におけるタッチ操作」であるのに対し、引用発明では、そのような構成は特定されていない点。
＜相違点３＞
　本願発明１は、第１の圧力強度値が応答圧力閾値より大きいと決定した場合に、「前記タッチ操作による前記浮遊ボタンの表示位置が前記電子デバイスの前記デスクトップに表示された第１の表示アイコンと重なっているかどうかを検出」し、第１の表示アイコンに対応する機能を呼び出す処理は「前記浮遊ボタンの前記表示位置が前記第１の表示アイコンと重なっている場合」に行われるのに対し、引用発明では、そのような構成は特定されていない点。
ウ　相違点についての判断
　事案に鑑みて、上記相違点３について先に検討する。
　上記相違点３に係る本願発明１の「前記第１の圧力強度値が応答圧力閾値より大きいと決定した場合、前記タッチ操作による前記浮遊ボタンの表示位置が前記電子デバイスの前記デスクトップに表示された第１の表示アイコンと重なっているかどうかを検出」し、「前記浮遊ボタンの前記表示位置が前記第１の表示アイコンと重なっている場合、前記第１の表示アイコンに対応する機能を呼び出す」という構成は、上記引用文献１−３には記載されておらず、本願出願日において周知技術であるともいえない。
　したがって、本願発明１は、他の相違点について検討するまでもなく、当業者であっても、引用発明及び引用文献２、３に記載された技術事項に基づいて容易に発明できたものであるとはいえない。
（２）　本願発明２−８について
　本願発明２−８も、上記相違点３に係る本願発明１の構成と同一の構成を備えるものであるから、本願発明１と同じ理由により、当業者であっても、引用発明及び引用文献２、３に記載された技術事項に基づいて容易に発明できたものであるとはいえない。
（３）　本願発明９−２１について
　本願発明９及び本願発明１７は、本願発明１に対応する電子デバイスの発明であり、上記相違点３に係る本願発明１の構成に対応する構成を備えるものである。
　また、本願発明１０−１６は本願発明９を、本願発明１８−２１は本願発明１７を、それぞれ減縮した発明である。
　そうすると、本願発明９−２１も、本願発明１と同様の理由により、当業者であっても、引用発明及び引用文献２、３に記載された技術事項に基づいて容易に発明できたものであるとはいえない。
第６　むすび
　以上のとおり、原査定の理由によっては、本願を拒絶することはできない。
　また、他に本願を拒絶すべき理由を発見しない。
　よって、結論のとおり審決する。